(57)【要約】【課題】クライミングクレーンとして使用した後、構築物の躯体最上階上で支持鉄塔を撤去してクレーン本体下に走行台車を組み付けることにより、走行式低床ジブクレーンに変換して使用できるジブクレーンを提供する。【解決手段】支持ベース２と、この支持ベース２上に直立支持される複数個のマストセグメントを継ぎ足して形成される支持鉄塔４と、この支持鉄塔４に外嵌支持されてクライミング機構を備える外マスト６、およびその外マスト６頂部に旋回機構定置支持フレーム２０を介して支持されるクレーン本体１０とで構成され、構築躯体の最上階で前記クライミング機構を操作して前記クレーン本体１０をその下部に組み立てられる走行台車４０上に下ろして組付けるとともに、自己の揚重機能で外マスト６と支持鉄塔４ならびに支持ベース２を取り除くことにより、タワー式から走行式に変換できる構成とする。【選択図】図７
2008162749.tif 000002
【特許請求の範囲】
【請求項１】
支持ベースと、この支持ベース上に直立支持される複数個のマストセグメントを継ぎ足して形成される支持鉄塔と、この支持鉄塔に外嵌支持されてクライミング機構を備える外マストと、その外マスト頂部に旋回機構定置支持フレームを介して支持されるクレーン本体とで構成され、構築躯体の最上階で前記クライミング機構を操作して前記クレーン本体をその下部に組み立てられる走行台車上に下ろして組付けるとともに、自己の揚重機能で外マストと支持鉄塔ならびに支持ベースを取り除くことにより、タワー式から走行式に変換できる構成であることを特徴とするジブクレーン。
【請求項２】
前記クレーン本体下部に付設の旋回機構定置支持フレーム側面には、対称位置で走行台車の梁部材と接合する受け部材がそれぞれ付設されている請求項１に記載のジブクレーン。
【請求項３】
前記クレーン本体と外マストとは、クレーン本体下部に取付く旋回機構定置支持フレームの下端部で、外マストの頂部と分離可能に接続される構成である請求項１または２に記載のジブクレーン。
【発明の詳細な説明】
【技術分野】
【０００１】
本発明は、高層建築物を建設するのに使用されるジブクレーンに関するものであって、クライミング機能を備えて最上階まで上昇させた後に、走行可能な低床式ジブクレーンに組み換えて使用できるようにされたジブクレーンに関するものである。
【背景技術】
【０００２】
高層建物の建設工事現場においては、構造材等を揚重するのにタワークレーン（クライミングクレーン）が多く用いられている。このタワークレーンは、構築物が組み上げられて行くに従って荷揚げ高さ（揚程）が次第に高くなるので、クレーン自体も高位置に配置する必要が生じることから、荷揚げ高さの変化に応じて上層階にクレーンを迫り上げて揚重作業ができるクライミング機能を備えた形式のものが知られている。
【０００３】
このクライミング機能を備えたクレーンとしては、例えば特許文献１によって知られるように、クレーン本体が頂部に搭載される外マストを、地上部から立設された支持鉄塔に沿って油圧シリンダにより迫り上げて、継ぎ足される支持鉄塔の頂部まで前記クレーン本体を上昇させるように構成されている。また、建物の躯体フロアに受支されて直立する所定高さの支持鉄塔と、この支持鉄塔に外嵌して頂部にクレーン本体を搭載する外マストとを、構築作業の進捗に応じて上層階へ交互に迫り上げるフロアクライミング方式のクレーンについては、例えば特許文献２によって知られている。
【０００４】
一方、このクライミング機構を備えるタワークレーンは、タワー（支持鉄塔）上に限定されているので、大型の建物建設工事では複数台のタワークレーンが必要になる。このようなことから構築中の躯体最上階に別途低床式のジブクレーンを搭載して建設資材の揚重が行われている。しかしながら、その低床式ジブクレーンを最上階に配置するためには、この低床式ジブクレーンを分解しなければ建物の躯体鉄骨の最上階まで運び上げられないので、組み立てなどで別途クレーンが必要である。そこで、前記タワークレーンのクレーン本体が最上階までクライミング（上昇）された後に、クレーン本体を残して支持鉄塔（タワー）を撤去し、そのクレーン本体に走行台車を取付けて移動式ジブクレーンに変更して使用でき、合理化を図るように構成されたクレーンについて、例えば特許文献３あるいは特許文献４によって提案されている。
【０００５】
【特許文献１】特公昭６３−３２７１５号公報
【特許文献２】特開２００４−５９３２１号公報
【特許文献３】特許第３１０４１５９号公報
【特許文献４】特開２００１−３４８１８５号公報
【発明の開示】
【発明が解決しようとする課題】
【０００６】
しかしながら、このような合理化を図るための試みとして提案されている前記特許文献３または特許文献４に記載のクレーンにあっては、次のような問題点がある。
まず特許文献３に第２実施例として記載されるものでは、マスト（支持鉄塔）の上部からクレーン本体部を切り離して走行可能な台車上に移載し、躯体の最上階に敷設したレール上を移動させて移動式ジブクレーンとして使用できるものが提案されている。しかしながら、そのタワークレーンを解体して走行可能な台車上に移載する手段については、建物躯体の外側部に持ち出された支持構造体上で鉄塔の一部を切り離して走行台車上にクレーン本体を移設するものであるから、高層階での作業に不安定な状態で重量の大きいクレーン本体部を移設することになり、危険作業を伴うので実施が困難であるという問題点がある。
【０００７】
また、特許文献４に記載のクレーンでは、タワークレーンとして設置し使用される時点で走行台車相当の部材を搭載した架台を備えており、構築物の躯体外側部に立設した鉄塔上から躯体の最上階に敷設される走行軌条に前記走行台車相当のクレーン本体基部を移動させ、躯体最上階で移動して揚重作業を行うものである。したがって、このタワークレーンでは、その設置時に過剰な質量の機材を鉄塔に支持させることになるので、鉄塔自体も頑丈なものが必要になり高価なものになる。しかも、躯体側部の鉄塔上から躯体上に移設するのに自己の能力では移動が困難で、高所作業として危険を伴うという問題点を有している。
【０００８】
本発明は、前述のような状況に鑑みてなされたもので、躯体内部に設置して当初はクライミングクレーンとして使用され、構築作業の進捗で構築物の躯体最上階上までクレーンが上昇した後には、支持鉄塔を撤去して、クレーン本体下に走行台車を組み付けることにより、走行式低床ジブクレーンに変換して使用できるジブクレーンを提供することを目的とする。
【課題を解決するための手段】
【０００９】
前記目的を達成するために、本発明によるジブクレーンは、
支持ベースと、この支持ベース上に直立支持される複数個のマストセグメントを継ぎ足して形成される支持鉄塔と、この支持鉄塔に外嵌支持されてクライミング機構を備える外マストと、その外マスト頂部に旋回機構定置支持フレームを介して支持されるクレーン本体とで構成され、構築躯体の最上階で前記クライミング機構を操作して前記クレーン本体をその下部に組み立てられる走行台車上に下ろして組付けるとともに、自己の揚重機能で外マストと支持鉄塔ならびに支持ベースを取り除くことにより、タワー式から走行式に変換できる構成であることを特徴とするものである（第１発明）。
【００１０】
前記発明において、前記クレーン本体下部に付設の旋回機構定置支持フレーム側面には、対称位置で走行台車の梁部材と接合する受け部材がそれぞれ付設されているのがよい（第２発明）。また、前記発明において、前記クレーン本体と外マストとは、クレーン本体下部に取付く旋回機構定置支持フレームの下端部で、外マストの頂部と分離可能に接続される構成であるのがよい（第３発明）。
【発明の効果】
【００１１】
本発明によれば、構築躯体の内部に設置してクレーン本体が構築躯体の最上階までクライミングされた後、そのクレーン本体の下側で支持鉄塔の周りに自己の揚重機能で走行台車を組み立てて、その走行台車上にクレーン本体を搭載し、支持鉄塔の残部と支持ベースを解体撤去すれば、躯体最上階面に敷設した走行軌条に沿って走行移動できるようになり、タワー式のジブクレーン（タワークレーン）から移動式ジブクレーンに組み換えて使用することができる。しかも、これら組み換え操作が自己の揚重機能で躯体上において、組み立て操作が行えるので高所での作業を無理なく実施でき、タワークレーンを屋上階に搭載する低床式ジブクレーン（走行式ジブクレーン）として引き続き使用できるので、多くのクレーンを準備することなく、合理的に揚重作業が行えて工費の低減を図ることができるという効果を奏する。
【００１２】
また、第２発明および第３発明の構成を採用することにより、クライミングクレーンの形態から低床式ジブクレーンに組み換える操作が自己の揚重機能を発揮させて高所位置で容易に、かつ安定した状態で行うことができるという効果を奏するのである。
【発明を実施するための最良の形態】
【００１３】
次に、本発明によるジブクレーンの具体的な実施の形態について、図面を参照しつつ説明する。
【００１４】
図１には本発明に係るジブクレーンがクライミングクレーンの形態で表わされる全体図が、図２にはクレーン本体の側面図が、図３にはクライミング機構の概要図が、図４には本発明に係るジブクレーンが走行式ジブクレーンに組み換えられた形態で表わされる側面図が、図５には走行台車の平面図が、それぞれ示されている。
【００１５】
この実施形態のジブクレーン１は、基本構成がクライミングクレーンであって、中心から平面的に四方へ放射状に突出す支持脚３を備えた支持ベース２と、この支持ベース２中央上面に支持されて所要高さ寸法に複数のマストセグメント４ａを継ぎ足して直立する支持鉄塔４と、この支持鉄塔４に外嵌支持されてクライミング機構２２を備える外マスト６、およびその外マスト６の頂部に旋回機構１２を介して支持されるクレーン本体１０とで構成されている。そして、構築物の躯体最上階までクライミング機構２２によりクレーン全体が迫り上げられた後は、クレーン本体１０と別途に用意された走行台車４０とを結合するとともに、自己の機能で支持鉄塔４とその支持ベース２および外マスト６を撤去することにより、走行式のジブクレーン１Ａに組み換えて使用できる構成のものである。
【００１６】
前記支持ベース２には、中央部上面に支持鉄塔４を取付ける取付座が設けられた基体２ａが配され、この基体２ａの中心から四方へ放射状に延びる支持脚３が配置されている。その各支持脚３は、基端を前記基体２ａの四方に設けられた取付部に接続して中間部で先端側が水平回動可能な関節部にて接続されて、盛り換え作業時に先端側が折畳んで躯体に設けられたクレーン設置開口部を通過できるようにされており、先端部で構築物の躯体梁材などに周知の手段で締結部材にて固定できるようにされている。
【００１７】
前記支持鉄塔４は、前記支持ベース２中央の基体２ａの取付座上に立設され、所定長さに形成されるマストセグメント４ａを順次ボルトで締結して継ぎ足し、所要高さに構成されている。その支持鉄塔４を構成するマストセグメント４ａには、上下方向に所定の間隔でクライミング作動時における保持部材（軸ピン）を挿入する受支孔４ｂが設けられている。なお、この実施形態では円筒形の支持鉄塔４で、周側面にはクレーン本体１０ならびに外マスト６（下部支持フレーム７を含む）が一定の向きに揃って昇降できるように、ガイドレール４ｃが上下方向に複数取付けられている。
【００１８】
前記クレーン本体１０は、前記支持鉄塔４に外嵌する外マスト６にその頂部と接続する旋回機構定置支持フレーム２０を介して旋回自在に支持される旋回フレーム１１と、この旋回フレーム１１上に立設されるガントリー１３と、起伏ジブ２５と、巻上ウインチ２９および起伏用ウインチ２８とで構成されており、前記巻上ウインチ２９により操作される巻上索２７と前記起伏用ウインチ２８により操作される起伏索２６とを備えている。前記旋回フレーム１１は、その上面に前記ガントリー１３と巻上ウインチ２９および起伏用ウインチ２８が搭載できて、起伏ジブ２５の基端を支持する形状にされている。なお、この旋回フレーム１１には、旋回中心位置に前記支持鉄塔４が通過できる開口部（図示せず）が設けられている。図中符号３０は運転室である。
【００１９】
前記ガントリー１３は、所要の間隔で平行に配される一対の前脚１３ａと一対の後脚１３ｂとを上端部で接続部材１３ｃにて連結され、その前脚１３ａの下端を旋回フレーム１１前部に設けられたブラケット１４ａにピン１５ａで連結され、後脚１３ｂは旋回フレーム１１の中間部に直立して設けられる支持ブラケット１４ｂにピン１５ｂで連結されている。また、このガントリー１３の上端部には前記接続部材１３ｃの上端で支持される連結軸１６上に、ジブ起伏用の起伏索２６の滑車ブロック１７ａと巻上索２７の滑車１８が配列して設けてある。なお、図中符号１３ｄはガントリー頂部の点検足場である。
【００２０】
前記旋回機構１２は、旋回機構定置支持フレーム２０に旋回輪固定側１２ａが取付けられ、旋回輪可動側１２ｂに旋回フレーム１１が取付けられて、その旋回フレーム１１上面に設置される旋回モータの出力軸に取付くピニオン（いずれも図示せず）が、前記旋回機構定置支持フレーム２０頂部に取付く旋回輪の固定側ギア（いずれも図示せず）と噛み合って旋回フレーム１１を旋回駆動するように構成されている。
【００２１】
前記旋回機構定置支持フレーム２０は、所要高さ寸法に形成され、その下端に設けた取付部材２１によって外マスト６の頂部と連結できるようにされ、この外マスト６との連結部で分離容易なようにし、後述する走行台車４０の組み付け高さ寸法より短い寸法で形成されている。また、両側面部にはクライミング操作時における受け梁（図示せず）と当接する、あるいは走行台車４０の補梁４２を取付けるために用いられる梁受け部材２４が対称に付設されている。なお、この実施形態では旋回機構定置支持フレーム２０が円筒状のものであるが、必要に応じて角形断面に枠組みされたものであってもよい。
【００２２】
前記起伏ジブ２５は、その基端を前記旋回フレーム１１上の中間位置に付設されたジブ支持ブラケット１４ｃに枢支ピン２５ａで連結支持され、先端部を前記ガントリー１３頂部の連結軸１４上に設けた後部滑車ブロック１７ａから前部滑車ブロック１７ｂを巡る起伏索２６およびペンダントロープ２６′で、起伏用ウインチ２８によって操作されて起伏自在に支持されている。また、巻上索２７は、前記起伏ジブ２５の先端部に端部を繋いでジブ先端部の滑車１８を巡らせてフックブロック１９を吊下げ、ガントリー１３頂部の連結軸１６上に配される案内滑車１８ａを経て巻上ウインチ２９に巻き取られるようにされている。また、この起伏ジブ２５は、所定断面構造に枠組み形成されて所要長さ寸法で分割できる構造にされている。
【００２３】
前記外マスト６は、頂部を前記旋回機構定置支持フレーム２０下端の取付部材２１に接続して、この旋回機構定置支持フレーム２０を介して前記旋回フレーム１１を支持するようにされている。この外マスト６は、所要高さ寸法の円筒状に形成されて内側に前記支持鉄塔４の各ガイドレール４ｃに案内されてこの支持鉄塔４に沿い昇降できるように、上下位置で複数箇所にガイドローラ（図示省略）が取付けられている。そして、この外マスト６に付属するクライミング機構２２は、外マスト６の相対向する位置に上部保持部材２２ａ（上部カンヌキ）が上部位置で支持鉄塔４に設けられた受支孔４ｂと対向するように設けられ、外マスト６とは切り離されて支持鉄塔４に沿い昇降できるようにされた下部支持フレーム７の相対向する位置に下部保持部材２２ｂ（下部カンヌキ）が設けられ、前記上部保持部材２２ａと同様に支持鉄塔４の受支孔４ｂに対向するようにして配置されている。
【００２４】
前記上下両保持部材２２ａ，２２ｂは、それぞれ油圧シリンダによって作動操作されて支持鉄塔４の受支孔４ｂに嵌挿して受止められ、クレーン本体１０を受支できるようにされ、進退自在に配されている。したがって、その上下保持部材２２ａ，２２ｂの配置間隔は支持鉄塔４に設けられた前記受支孔４ｂの配置間隔（複数ピッチ）に合わせて設けられる。また、外マスト６および下部支持フレーム７の外側面には、クライミング用のアクチュエータとして昇降用油圧シリンダ２３（以下、「クライミングシリンダ２３」という）が配設されている。このクライミングシリンダ２３は、固定端を外マスト６の外側面に付設されるブラケットに枢支され、ロッドの先端を前記下部支持フレーム７に連結されている。こうして前記上下両保持部材２２ａ，２２ｂと下部支持フレーム７およびクライミングシリンダ２３とその油圧駆動ユニット（図示省略）とによって構成されている。なお、前記クライミング機構２２を作動させてクライミング作業を行うために、外マスト６および下部支持フレーム７にはそれぞれ作業床６ａと作業床７ａが付設されている。
【００２５】
一方、構築躯体の最上階で組み換え使用する走行台車４０は、屋上階（最上階）に敷設される走行軌条５０の軌間に対応して配置される所要長さの基幹ビーム４１を一対と、この基幹ビーム４１，４１間を相互に接続する二本の補梁４２，４２と、この補梁４２，４２と前記基幹ビーム４１，４１の各端部とを繋ぐステー４３および基幹ビーム４１，４１の両端下部に取付けられる走行構造体４４，４４′とで構成されている。これら各部材は屋上階で組立・分解可能な構造とされている。
【００２６】
前記走行構造体４４（４４′）は、所定の間隔で車輪４４ａが二輪配置されたフレーム４４ｂと、そのフレーム４４ｂの上面側で詳細は図示省略するがボギー構造の取付部材４４ｃを備えており、この取付部材４４ｃによって前記基幹ビーム４１の先端下面に設けられた取付部に取付けて走行可能な構造とされる。その取付けに際しては、ボルト結合とされるのがよい。そして、この走行構造体４４（４４′）における車輪４４ａとしては鍔付き車輪とし、敷設される軌条５０上を走行できるようにするのが好ましい。また、四基の走行構造体４４，４４′のうち各軌条５０に一基ずつの走行構造体４４には、駆動モータとその駆動力伝達の歯車駆動機構４５が付設されており、それら駆動モータによる車輪の駆動で走行台車４０が走行できる構成とされている。図中符号４６はクレーン本体１０の旋回フレーム１１上に運転者が乗降するためのタラップである。
【００２７】
このように構成された本実施形態のジブクレーン１は、構築される構築物躯体の内部に設置して建造する作業の進捗に応じてクレーン本体１０を迫り上げて使用される。そして、構築物躯体の最上階で走行式ジブクレーンに組み換えられる。次に、その組み換え態様について、図６〜図１０に示されるクレーンの組み換え手順の態様を表わす図により説明する。
【００２８】
この実施形態のジブクレーン１は、従来のタワークレーンと同様の形態で構築物の躯体内に、その下層階の床梁上で支持脚３を支持されて支持ベース２が設置され、この支持ベース２上に所要高さの支持鉄塔４を直立させ、その支持鉄塔４上部に外マスト６および旋回機構定置支持フレーム２０を介してクレーン本体１０を取付けて設置し、巻上ウインチ２９および起伏用ウインチ２８を作動させて周知の手段で揚重作業を行う。構築物の躯体の建設が進捗して資材の揚重過程（揚程）が延長されるに伴って、クレーン本体１０を高所位置に盛り換える。このクレーン本体１０の盛り換え（クライミング）作業は、外マスト６と下部支持フレーム７に付属するクライミング機構２２を作動させて行われる。
【００２９】
このクライミング作業は、いわゆるフロアクライミングであって、周知の手順で外マスト６と下部支持フレーム７とに付設する上部保持部材２２ａと下部保持部材２２ｂを交互に作動させるとともに、クライミングシリンダ２３を作動させてその１ストローク分ずつ支持鉄塔４を上昇させ、併せてクレーン本体１０を上昇させて上層階に迫り上げる。なお、このクライミング操作時のクレーン本体１０側に反力をとるときには、旋回機構定置支持フレーム２０に付設される梁受け部材２４を躯体の桁梁に取付けた受け梁（図示せず）と接合して受支するようにされる。
【００３０】
こうして躯体の構築が進捗して資材等を揚重する揚程が延長されると、前記要領でクレーン本体１０を高所位置にクライミングさせる操作を繰返して揚重作業が行われる。
【００３１】
本実施形態のジブクレーン１は、構築される建物躯体の最上階まで上昇してタワークレーンとしての揚重作業が終ると、このジブクレーン１の支持ベース２を最上階の階層上面まで引上げることにより、支持ベース部を組み換えて走行式ジブクレーン１Ａとして最上階上で引続き使用することができる。
【００３２】
タワークレーン構造から走行式ジブクレーン１Ａ（低床式ジブクレーン）に組み換える要領は、まず図7（ａ）で示されるように、躯体の最上階から２階下の階層に支持ベース２を固定した状態で、上部保持部材２２ａを対応する支持鉄塔４の受支孔４ｂから後退させて固定を解く。クライミングシリンダ２３を作動させて外マスト６および旋回機構定置支持フレーム２０を介してクレーン本体１０を迫り上げる。
【００３３】
次いで、図７（ａ）（ｂ）で示されるように、クレーン本体１０の起伏ジブ２５を作動操作して、予め最上階の床上に敷設されている軌条５０に対して走行台車４０の組立作業を開始する。まず、各軌条５０上に走行構造体４４，４４′を載置して図示されない治具などを用いて起立状態に保持させる。その後に基幹ビーム４１を吊り上げて前記走行構造体４４，４４′上に配置して、その基幹ビーム４１の各先端部下面の取付部にて走行構造体４４，４４′の取付部材４４ｃと接続する。こうして、両軌条５０，５０上に走行構造体４４，４４′を介して基幹ビーム４１，４１がそれぞれ載置されるとこれらが起立状態に保たれるよう、予め準備した仮保持部材（図示せず）などにより保持させる。
【００３４】
また、起伏ジブ２５を起伏操作するとともに巻上ウインチ２９を作動して、前記クレーン本体１０とともに迫り上げられている旋回機構定置支持フレーム２０の両外側面に付設の梁受け部材２４，２４下面に、前記両基幹ビーム４１，４１を相互に連結して走行台車４０を組み立てるための補梁４２，４２をそれぞれ取付ける。
【００３５】
次に、図８（ａ）で示されるように、クライミングシリンダ２３によるクレーン本体１０とこれに繋がる外マスト６およびを旋回機構定置支持フレーム２０を下降させる。すると、図８（ｂ）で示されるように、その旋回機構定置支持フレーム２０に付設の梁受け部材２４，２４に取付けている補梁４２，４２が、先に組み立て保持されている両基幹ビーム４１，４１の間に受け入れられるので、それら補梁４２，４２を両側の基幹ビーム４１，４１の内側面に設けられている取付部に繋ぐと、走行台車４０が組み立てられると同時にクレーン本体１０が走行台車４０上に一体的に搭載される。
【００３６】
次に、旋回機構定置支持フレーム２０にチェーンブロックなどの扛重機６０を吊り掛け、この扛重機６０によって外マスト６を吊り、この旋回機構定置支持フレーム２０と外マスト６との接続部分を切り離す。そのまま外マスト６を下降させて下部支持フレーム７上に預け、両者を仮固定する（図９（ａ）参照）。
【００３７】
一方、クレーン本体１０では、その旋回フレーム１１上の後尾に水平ビームを備える小型のポストクレーン６５を設置する。このポストクレーン６５を使用して予め準備しておいたカウンターウエイト７０を吊り上げて、旋回フレーム１１の後端に付設する（図９（ｂ）参照）。
【００３８】
その後においてクレーン本体１０の揚重機能を発揮して、クレーン本体１０の内部に位置する支持鉄塔４を解体し、その上層から順次マストセグメント４ａを吊り上げて機外に搬出する。こうしてクレーン本体１０の内側に位置して支持鉄塔４の最上階に突出していた部分を取り除く（図９（ｂ）参照）。
【００３９】
支持鉄塔４の上半部が撤去されると、クレーン本体１０を搭載した走行台車４０が移動可能な状態となるので、図１０に示されるように、その走行台車４０の駆動機構を作動させてクレーン本体１０を走行台車４０によって先にタワークレーンとしての設置されていた位置から解体作業に適した位置まで軌道上を移動させる。
【００４０】
こうしてクレーン本体１０が所要位置まで移動したならば、躯体内に残留している支持鉄塔４と外マスト６および下部支持フレーム７ならびに支持ベース２（支持脚３を含む）を、クレーン本体１０の起伏ジブ２５を操作して順次分解し、最上階上に運び出して撤去する。こうすることにより本実施形態のジブクレーン１は、タワークレーン（クライミングクレーン）の形態から図４によって示されるように走行式ジブクレーン（低床式ジブクレーン）に組み換えられ、この形態で揚重作業を行うことができるのである。
【００４１】
以上のように、本発明によれば、作業開始時にはタワークレーンとして使用でき、作業の進捗でクレーンが躯体の最上階まで上昇された後は、別途準備しておいた走行台車を組み立てて、この走行台車上にクレーン本体を降ろして結合させ、支持鉄塔や盛り換え用の各部材を撤去することにより、そのままで、走行式のジブクレーンに組み換えて引続いて揚重作業を行わせることができる。したがって、余分なクレーンを高所に運びあげることなく合理的に広範囲での揚重作業ができ、躯体に設置して使用するクレーンして建物の構築時から揚重作業終了時まで１機種のクレーンを使用できることになり、揚重作業をより一層合理的に行えるという効果を奏するのである。
【図面の簡単な説明】
【００４２】
【図１】本発明に係るジブクレーンがクライミングクレーンの形態で表わされる全体図
【図２】クレーン本体の側面図
【図３】クライミング機構の概要図
【図４】本発明に係るジブクレーンが走行式ジブクレーンに組み換えられた形態で表わされる側面図
【図５】走行台車の平面図
【図６】ジブクレーンをタワー式から走行式に組み換える過程の態様を表わす図（１）
【図７】ジブクレーンをタワー式から走行式に組み換える過程の態様を表わす図（２）で、（ｂ）は（ａ）のＡ−Ａ視図
【図８】ジブクレーンをタワー式から走行式に組み換える過程の態様を表わす図（３）
【図９】ジブクレーンをタワー式から走行式に組み換える過程の態様を表わす図（４）
【図１０】残留した部材の解体撤去態様を表わす図
【符号の説明】
【００４３】
１      ジブクレーン
２      支持ベース
３      支持脚
４      支持鉄塔
５      ステー
６      外マスト
７      下部支持フレーム
１０    クレーン本体
１１    旋回フレーム
１３    ガントリー
２０    旋回機構定置支持フレーム
２２    クライミング機構
２２ａ    上部保持部材
２２ｂ    下部保持部材
２３    クライミングシリンダ
２４    梁受け部材
２５    起伏ジブ
２８    起伏用ウインチ
２９    巻上ウインチ
４０    走行台車
４１    基幹ビーム
４２    補梁
４４，４４′    走行構造体
５０    軌条
【図１】
2008162749.tif 000003
【図２】
2008162749.tif 000004
【図３】
2008162749.tif 000005
【図４】
2008162749.tif 000006
【図５】
2008162749.tif 000007
【図６】
2008162749.tif 000008
【図７】
2008162749.tif 000009
【図８】
2008162749.tif 000010
【図９】
2008162749.tif 000011
【図１０】
2008162749.tif 000012